(57)【要約】【課題】音楽のプロモーションビデオや映画などを記録した記録媒体を再生したときに、任意のシーンでカラオケや映画の字幕のようにユーザ自身で登録した字幕を表示できるようにした情報記録再生装置を提供する。【解決手段】字幕を登録する処理が開始されると、編集用のＯＳＤ表示を行い、編集するタイトルを再生させているときにシーン選択操作で再生が一時停止されると、一時停止再生経過時間を含むシーン情報をフラッシュメモリに格納する。また、作成された字幕の情報と字幕位置情報と字幕表示時間情報とをフラッシュメモリに格納する。そのタイトルが再生されると、再生経過時間が字幕表示開始時間になったときにフラッシュメモリから字幕情報と字幕位置情報を読み出して字幕情報が示す字幕を再生画面上の字幕位置情報が示す位置に表示を開始させ、再生経過時間が字幕表示終了時間になったときに字幕の表示を終了させる。【選択図】図５
2007188609.tif 000002
【特許請求の範囲】
【請求項１】
記録媒体に映像音声情報を記録したり、記録媒体に記録された映像音声情報を再生したりする情報記録再生装置において、
字幕を登録する処理が開始されると、編集用のＯＳＤ表示画面を表示手段に表示させるＯＳＤ表示処理手段と、編集するタイトルを再生させているときユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報をメモリに格納するシーン情報格納処理手段と、ユーザ操作に応じて作成された字幕の情報をメモリに格納する字幕格納処理手段と、ユーザ操作に応じて設定された再生画面上の位置に前記作成された字幕を設定させるための字幕位置情報をメモリに格納する字幕位置情報格納手段と、ユーザ操作に応じて設定された字幕表示時間情報をメモリに格納する字幕表示時間情報格納処理手段とを有する字幕登録処理部と、
前記編集されたタイトルが再生されると、再生経過時間が前記シーン情報に含まれる記録媒体識別情報とシーン識別情報とに関連する一時停止再生経過時間になったか否かを判定することにより字幕表示開始時間になったか否かを判定する字幕表示開始時間判定手段と、再生経過時間が字幕表示開始時間になったと判定されたときに、メモリから字幕情報と字幕位置情報を読み出して、前記字幕情報が示す字幕を、再生画面上の前記字幕位置情報が示す位置に表示を開始させる字幕表示開始手段と、メモリから字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有する字幕表示処理部とを備えたことを特徴とする情報記録再生装置。
【請求項２】
記録媒体に映像音声情報を記録したり、記録媒体に記録された映像音声情報を再生したりする情報記録再生装置において、
字幕を登録する処理が開始されると、編集用のＯＳＤ表示画面を表示手段に表示し、編集するタイトルを再生させているときに、シーン選択操作で再生を一時停止させたときの一時停止再生経過時間と記録媒体識別情報とシーン識別情報とを含むシーン情報と、ユーザ操作に応じて作成された字幕の情報と、ユーザ操作に応じて設定された再生画面上の位置に前記作成された字幕を設定させるための字幕位置情報と、ユーザ操作に応じて設定された字幕表示時間情報とをメモリに格納する字幕登録処理部と、
前記編集されたタイトルが再生されると、再生経過時間が前記シーン情報に含まれる記録媒体識別情報とシーン識別情報とに関連する一時停止再生経過時間になったか否かを判定することにより字幕表示開始時間になったか否かを判定し、再生経過時間が字幕表示開始時間になったと判定したときに、メモリから字幕情報と字幕位置情報を読み出して、前記字幕情報が示す字幕を、再生画面上の前記字幕位置情報が示す位置に表示を開始させ、メモリから字幕表示時間情報を読み出し、再生経過時間が字幕表示時間情報の示す字幕表示時間を経過して字幕表示終了時間になったときに字幕の表示を終了させる字幕表示処理部とを備えたことを特徴とする情報記録再生装置。
【請求項３】
前記字幕登録処理部は、字幕を登録する処理が開始されると、編集用のＯＳＤ表示画面を表示手段に表示させるＯＳＤ表示処理手段と、編集するタイトルを再生させているときにユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報をメモリに格納するシーン情報格納処理手段と、ユーザ操作に応じて作成された字幕の情報をメモリに格納する字幕格納処理手段と、ユーザ操作に応じて設定された再生画面上の位置に前記作成された字幕を設定させるための字幕位置情報をメモリに格納する字幕位置情報格納手段と、ユーザ操作に応じて設定された字幕表示時間情報をメモリに格納する字幕表示時間情報格納処理手段とを有することを特徴とする請求項２に記載の情報記録再生装置。
【請求項４】
前記字幕表示処理部は、前記編集されたタイトルが再生されると、再生経過時間が前記シーン情報に含まれる記録媒体識別情報とシーン識別情報とに関連する一時停止再生経過時間になったか否かを判定することにより字幕表示開始時間になったか否かを判定する字幕表示開始時間判定手段と、再生経過時間が字幕表示開始時間になったと判定されたときに、メモリから字幕情報と字幕位置情報を読み出して、前記字幕情報が示す字幕を、再生画面上の前記字幕位置情報が示す位置に表示を開始させる字幕表示開始手段と、メモリから字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有することを特徴とする請求項２に記載の情報記録再生装置。
【発明の詳細な説明】
【技術分野】
【０００１】
本発明は、記録媒体に映像音声情報を記録したり、記録媒体に記録された映像音声情報を再生したりする情報記録再生装置に関し、特に、再生画像に字幕を挿入する編集処理に関する。
【背景技術】
【０００２】
近年、映画等のような大量の映像音声データなどの情報を記録することができる光ディスクであるＤＶＤ（デジタル・バーサタイル・ディスク）が普及しつつある。ＤＶＤの種類としては、メーカ側で情報が記録され、ユーザ側では書き換えができないＤＶＤ−ＲＯＭタイプのＤＶＤ、ユーザ側で情報を１回だけ記録できるＤＶＤ−ＲタイプやＤＶＤ＋ＲタイプのＤＶＤ、ユーザ側で情報を記録でき所定回数まで書き換え可能なＤＶＤ−ＲＷタイプやＤＶＤ＋ＲＷタイプやＤＶＤ−ＲＡＭタイプのＤＶＤなどが知られている。
【０００３】
ところで、音楽のプロモーションビデオや映画などが記録されたＤＶＤ−ＲＯＭタイプのＤＶＤや、テレビ放送信号を受信して映画やドラマなどが記録されたＤＶＤ−Ｒタイプ、ＤＶＤ＋Ｒタイプ、ＤＶＤ−ＲＷタイプ、ＤＶＤ＋ＲＷタイプ、ＤＶＤ−ＲＡＭタイプなどのＤＶＤを再生したときに、任意のシーンでカラオケや映画の字幕のように、ユーザ自身で登録した字幕をＯＳＤ（オン・スクリーン・ディスプレイ）表示させたい場合がある。
【０００４】
そこで、特許文献１の従来技術では、特定領域だけ後で記録が許可されているＤＶＤを記録再生装置に装填し、記録モードに設定すると、記録すべき映像の位置では静止画となり、副映像を記録する領域が表示器の画面上で指定され、この指定された領域に文字が入力することができるようになっている。したがって、指定された領域に字幕としての文字を入力すれば、その字幕を再生画像の中に表示させることができる構成されている。
【０００５】
また、特許文献２の従来技術では、ユーザが記録動作を決定した場合には、画像データおよび音声データを記録媒体に記録すると共に、入力される文字データを、その対象である画像データおよび音声データと関連付けて記録媒体に記録し、ユーザが再生動作を決定した場合には、記録されている文字データを表示し、ユーザが選択し決定した文字データに関連付けられている画像データおよび音声データを記録媒体から再生するように構成されている。
【特許文献１】特開平１１−２３４６２２号公報
【特許文献２】特開平１０−２５７４２６号公報
【発明の開示】
【発明が解決しようとする課題】
【０００６】
しかしながら、特許文献１の従来技術は、前述したように、指定された領域にしか字幕を入力することができないので、音楽のプロモーションビデオや映画などが記録されたＤＶＤを再生したときに、任意のシーンでカラオケや映画の字幕のように、ユーザ自身で登録した字幕をＯＳＤ表示させたい場合には対処することができない。
【０００７】
また、特許文献２の従来技術は、前述したように、ユーザが記録動作を決定した場合には、画像データおよび音声データを光ディスクやハードディスクに記録すると共に、入力される文字データを、その対象である画像データおよび音声データと関連付けて光ディスクやハードディスクに記録するようになっているが、画像データおよび音声データを光ディスクやハードディスクに記録した後で、任意のシーンでカラオケや映画の字幕のように、ユーザ自身で登録した字幕をＯＳＤ表示させたい場合には対処することができない。
【０００８】
本発明は、上記のような課題を解決するためになされたもので、音楽のプロモーションビデオや映画などを記録した光ディスクやハードディスクを再生したときに、任意のシーンでカラオケや映画の字幕のようにユーザ自身で登録した字幕を表示できるようにした情報記録再生装置を提供することを目的とする。
【課題を解決するための手段】
【０００９】
上記目的を達成するために、請求項１の発明は、字幕を登録する処理が開始されると、編集用のＯＳＤ表示画面を表示手段に表示させるＯＳＤ表示処理手段と、編集するタイトルを再生させているときにユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報をメモリに格納するシーン情報格納処理手段と、ユーザ操作に応じて作成された字幕の情報をメモリに格納する字幕格納処理手段と、ユーザ操作に応じて設定された再生画面上の位置に前記作成された字幕を設定させるための字幕位置情報をメモリに格納する字幕位置情報格納手段と、ユーザ操作に応じて設定された字幕表示時間情報をメモリに格納する字幕表示時間情報格納処理手段とを有する字幕登録処理部と、前記編集されたタイトルが再生されると、再生経過時間が再生経過時間が前記シーン情報に含まれる記録媒体識別情報とシーン識別情報とに関連する一時停止再生経過時間になったか否かを判定することにより字幕表示開始時間になったか否かを判定する字幕表示開始時間判定手段と、再生経過時間が字幕表示開始時間になったと判定されたときに、メモリから字幕情報と字幕位置情報を読み出して、前記字幕情報が示す字幕を、再生画面上の前記字幕位置情報が示す位置に表示を開始させる字幕表示開始手段と、メモリから字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有する字幕表示処理部とを備えたことを特徴とする情報記録再生装置を提供する。
【００１０】
この構成において、例えば、音楽のプロモーションビデオや映画などを記録した記録媒体を装填し、任意のシーンでカラオケや映画の字幕のようにユーザ自身が登録した字幕をＯＳＤ表示するために以下のような処理が行われる。字幕を登録する処理が開始されると、字幕登録処理部のＯＳＤ表示処理手段は、編集用のＯＳＤ表示画面を表示手段にする。そして、編集するタイトルが選択されて再生され、再生させているときに、所望のシーンで字幕を挿入するため、ユーザ操作によりシーンが選択され、そのシーンで再生を一時停止させる操作がされると、字幕登録処理部の一時停止処理手段は、再生を一時停止させる。そして、字幕登録処理部のシーン情報格納処理手段は、シーン選択操作で再生を一時停止させたときの一時停止再生経過時間と記録媒体識別情報とシーン識別情報とを含むシーン情報をメモリに格納する。
【００１１】
次に、ユーザ操作により字幕が作成されると、字幕登録処理部の字幕格納処理手段は、その作成された字幕の情報をメモリに格納する。この後、ユーザ操作により字幕を表示する位置が設定されると、字幕登録処理部の字幕位置情報格納手段は、再生画面上の位置に前記作成された字幕を設定させるための字幕位置情報をメモリに格納する。次に、ユーザ操作により字幕表示時間が設定されると、字幕登録処理部の字幕表示時間情報格納処理手段は、その字幕表示時間の情報をメモリに格納する。
【００１２】
編集されたタイトルが記録された記録媒体を装填し、その編集されたタイトルが再生されると、字幕表示処理部の字幕表示開始時間判定手段は、再生経過時間が、前記シーン情報に含まれる記録媒体識別情報とシーン識別情報とに関連する一時停止再生経過時間になったか否かを判定することにより、字幕表示開始時間になったか否かを判定する。そして、再生経過時間が字幕表示開始時間になったと判定されたときに、字幕表示処理部の字幕表示開始手段は、メモリから字幕情報と字幕位置情報を読み出して、その字幕情報が示す字幕を、再生画面上の前記字幕位置情報が示す位置に表示を開始する
【００１３】
前記字幕が、前記字幕位置情報が示す位置に表示されたとき、字幕表示処理部の字幕表示終了時間判定手段は、メモリから字幕表示時間情報を読み出し、再生経過時間が前記字幕表示時間情報の示す字幕表示時間を経過して字幕表示終了時間になったか否かを判定する。再生経過時間が字幕表示終了時間になったと判定されたとき、字幕表示処理部の字幕表示終了手段は、字幕の表示を終了させる。
【００１４】
この構成によれば、字幕を登録する編集処理においては、ユーザが所望する任意のシーンで、所望する位置に所望する表示時間だけ所望する字幕を表示するための、シーン情報と字幕位置情報と字幕表示時間情報とを設定でき、字幕を表示する表示処理においては、前記設定されたシーン情報と字幕位置情報と字幕表示時間情報とにより、ユーザが所望する任意のシーンで、所望する位置に所望する表示時間だけ所望する字幕を表示することができる。したがって、光ディスクやハードディスクに記録された音楽のプロモーションビデオや映画などに対して前記字幕の登録編集処理を行うことによって、その光ディスクやハードディスクの情報を再生したときに、ユーザが所望する任意のシーンで、カラオケや映画の字幕のように、ユーザが所望する字幕を表示することができるようになる。
【００１５】
請求項２の発明は、字幕を登録する処理が開始されると、編集用のＯＳＤ表示画面を表示手段に表示し、編集するタイトルを再生させているときに、シーン選択操作で再生を一時停止させたときの一時停止再生経過時間と記録媒体識別情報とシーン識別情報とを含むシーン情報と、ユーザ操作に応じて作成された字幕の情報と、ユーザ操作に応じて設定された再生画面上の位置に前記作成された字幕を設定させるための字幕位置情報と、ユーザ操作に応じて設定された字幕表示時間情報とをメモリに格納する字幕登録処理部と、前記編集されたタイトルが再生されると、再生経過時間が、前記シーン情報に含まれる記録媒体識別情報とシーン識別情報とに関連する一時停止再生経過時間になったか否かを判定することにより、字幕表示開始時間になったか否かを判定し、再生経過時間が字幕表示開始時間になったと判定したときに、メモリから字幕情報と字幕位置情報を読み出して、前記字幕情報が示す字幕を、再生画面上の前記字幕位置情報が示す位置に表示を開始させ、メモリから字幕表示時間情報を読み出し、再生経過時間が字幕表示時間情報の示す字幕表示時間を経過して字幕表示終了時間になったときに字幕の表示を終了させる字幕表示処理部とを備えたことを特徴とする情報記録再生装置を提供する。
【００１６】
この構成において、例えば、音楽のプロモーションビデオや映画などを記録した記録媒体を装填し、任意のシーンでカラオケや映画の字幕のようにユーザ自身が登録した字幕をＯＳＤ表示するために以下のような処理が行われる。字幕を登録する処理が開始されると、字幕登録処理部においては、編集用のＯＳＤ表示画面を表示手段に表示し、編集するタイトルを再生させているときに、シーン選択操作で再生が一時停止されると、一時停止再生経過時間と記録媒体識別情報とシーン識別情報とを含むシーン情報をメモリに格納する。また、ユーザ操作に応じて作成された字幕の情報と、ユーザ操作に応じて設定された再生画面上の位置に前記作成された字幕を設定させるための字幕位置情報と、ユーザ操作に応じて設定された字幕表示時間情報とをメモリに格納する。
【００１７】
前記編集されたタイトルが再生されると、字幕表示処理部においては、再生経過時間が、前記シーン情報に含まれる記録媒体識別情報とシーン識別情報とに関連する一時停止再生経過時間になったか否かを判定することにより、字幕表示開始時間になったか否かを判定し、再生経過時間が字幕表示開始時間になったと判定したときに、メモリから字幕情報と字幕位置情報を読み出して、前記字幕情報が示す字幕を、再生画面上の前記字幕位置情報が示す位置に表示を開始させ、前記メモリから字幕表示時間情報を読み出し、再生経過時間が字幕表示時間情報の示す字幕表示時間を経過して字幕表示終了時間になったときに字幕の表示を終了させる。
【００１８】
この構成によれば、字幕を登録する編集処理においては、ユーザが所望する任意のシーンで、所望する位置に所望する表示時間だけ所望する字幕を表示するための、シーン情報と字幕位置情報と字幕表示時間情報とを設定でき、字幕を表示する表示処理においては、前記設定されたシーン情報と字幕位置情報と字幕表示時間情報とにより、ユーザが所望する任意のシーンで、所望する位置に所望する表示時間だけ所望する字幕を表示することができる。したがって、光ディスクやハードディスクに記録された音楽のプロモーションビデオや映画などに対して前記字幕の登録編集処理を行うことによって、その光ディスクやハードディスクの情報を再生したときに、ユーザが所望する任意のシーンで、カラオケや映画の字幕のように、ユーザが所望する字幕を表示することができるようになる。
【００１９】
請求項３の発明では、請求項２の発明において、前記字幕登録処理部は、字幕を登録する処理が開始されると、編集用のＯＳＤ表示画面を表示手段に表示させるＯＳＤ表示処理手段と、編集するタイトルを再生させているときにユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報をメモリに格納するシーン情報格納処理手段と、ユーザ操作に応じて作成された字幕の情報をメモリに格納する字幕格納処理手段と、ユーザ操作に応じて設定された再生画面上の位置に前記作成された字幕を設定させるための字幕位置情報をメモリに格納する字幕位置情報格納手段と、ユーザ操作に応じて設定された字幕表示時間情報をメモリに格納する字幕表示時間情報格納処理手段とを有する。
【００２０】
したがって、前記字幕登録処理部は、ＯＳＤ表示処理処理、一時停止処理、シーン情報格納処理、字幕格納処理、字幕位置情報格納処理、および字幕表示時間情報格納処理を実現でき、これにより、ユーザが所望する任意のシーンで、所望する位置に所望する表示時間だけ所望する字幕を表示するための、シーン情報と字幕情報と字幕位置情報と字幕表示時間情報とを設定することが可能になる。
【００２１】
請求項４の発明では、請求項２の発明において、前記字幕表示処理部は、前記編集されたタイトルが再生されると、再生経過時間が前記シーン情報に含まれる記録媒体識別情報とシーン識別情報とに関連する一時停止再生経過時間になったか否かを判定することにより字幕表示開始時間になったか否かを判定する字幕表示開始時間判定手段と、再生経過時間が字幕表示開始時間になったと判定されたときに、メモリから字幕情報と字幕位置情報を読み出して、前記字幕情報が示す字幕を、再生画面上の前記字幕位置情報が示す位置に表示を開始させる字幕表示開始手段と、メモリから字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有する。
【００２２】
したがって、前記字幕表示処理部は、字幕表示開始時間判定処理、字幕表示開始処理、字幕表示終了時間判定処理、および字幕表示終了処理を実現でき、これにより、ユーザが所望する任意のシーンで、所望する位置に所望する表示時間だけ所望する字幕を表示させることが可能になる。
【発明の効果】
【００２３】
以上のように本発明によれば、字幕を登録する処理が開始されると、編集用のＯＳＤ表示画面を表示手段に表示させるＯＳＤ表示処理手段と、編集するタイトルを再生させているときにユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報をメモリに格納するシーン情報格納処理手段と、ユーザ操作に応じて作成された字幕の情報をメモリに格納する字幕格納処理手段と、ユーザ操作に応じて設定された再生画面上の位置に前記作成された字幕を設定させるための字幕位置情報をメモリに格納する字幕位置情報格納手段と、ユーザ操作に応じて設定された字幕表示時間情報をメモリに格納する字幕表示時間情報格納処理手段とを有する字幕登録処理部と、前記編集されたタイトルが再生されると、再生経過時間が再生経過時間が前記シーン情報に含まれる記録媒体識別情報とシーン識別情報とに関連する一時停止再生経過時間になったか否かを判定することにより字幕表示開始時間になったか否かを判定する字幕表示開始時間判定手段と、再生経過時間が字幕表示開始時間になったと判定されたときに、メモリから字幕情報と字幕位置情報を読み出して、前記字幕情報が示す字幕を、再生画面上の前記字幕位置情報が示す位置に表示を開始させる字幕表示開始手段と、メモリから字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有する字幕表示処理部とを備えたので、字幕を登録する編集処理においては、ユーザが所望する任意のシーンで、所望する位置に所望する表示時間だけ所望する字幕を表示するための、シーン情報と字幕情報と字幕位置情報と字幕表示時間情報とを設定でき、字幕を表示する表示処理においては、ユーザが所望する任意のシーンで、所望する位置に所望する表示時間だけ所望する字幕を表示することができる。
【００２４】
したがって、光ディスクやハードディスクに記録された音楽のプロモーションビデオや映画などに対して字幕の登録編集処理を行うことによって、その光ディスクやハードディスクの情報を再生したときに、ユーザが所望する任意のシーンで、カラオケや映画の字幕のように、ユーザが所望する字幕を表示することができるようになる。
【００２５】
また、本発明によれば、字幕を登録する処理が開始されると、編集用のＯＳＤ表示画面を表示手段に表示し、編集するタイトルを再生させているときに、シーン選択操作で再生を一時停止させたときの一時停止再生経過時間と記録媒体識別情報とシーン識別情報とを含むシーン情報と、ユーザ操作に応じて作成された字幕の情報と、ユーザ操作に応じて設定された再生画面上の位置に前記作成された字幕を設定させるための字幕位置情報と、ユーザ操作に応じて設定された字幕表示時間情報とをメモリに格納する字幕登録処理部と、前記編集されたタイトルが再生されると、再生経過時間が、前記シーン情報に含まれる記録媒体識別情報とシーン識別情報とに関連する一時停止再生経過時間になったか否かを判定することにより、字幕表示開始時間になったか否かを判定し、再生経過時間が字幕表示開始時間になったと判定したときに、前記メモリから字幕情報と字幕位置情報を読み出して、前記字幕情報が示す字幕を、再生画面上の前記字幕位置情報が示す位置に表示を開始させ、前記メモリから字幕表示時間情報を読み出し、再生経過時間が字幕表示時間情報の示す字幕表示時間を経過して字幕表示終了時間になったときに字幕の表示を終了させる字幕表示処理部とを備えたので、字幕を登録する編集処理においては、ユーザが所望する任意のシーンで、所望する位置に所望する表示時間だけ所望する字幕を表示するための、シーン情報と字幕情報と字幕位置情報と字幕表示時間情報とを設定でき、字幕を表示する表示処理においては、ユーザが所望する任意のシーンで、所望する位置に所望する表示時間だけ所望する字幕を表示することができる。
【００２６】
したがって、光ディスクやハードディスクに記録された音楽のプロモーションビデオや映画などに対して前記字幕の登録編集処理を行うことによって、その光ディスクやハードディスクの情報を再生したときに、ユーザが所望する任意のシーンで、カラオケや映画の字幕のように、ユーザが所望する字幕を表示することができるようになる。
【発明を実施するための最良の形態】
【００２７】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする字幕登録処理部および字幕表示処理部をハードディスク装置や光ディスク装置に設ければ、同様な効果を得ることができる。
【００２８】
図１において、複合型記録再生装置１は、光ディスクとしてのＤＶＤ１３などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２９】
また、この複合型記録再生装置１は、デコーダ５で復号された映像信号をモニタ装置（テレビ受信機など）１２のディスプレイ装置（表示手段）１３１で表示可能な映像信号に変換する映像出力部７と、編集用のＯＳＤ表示画面をモニタ装置１３のディスプレイ装置１３１に表示させるためのＯＳＤ回路１２と、デコーダ５で復号された音声信号をモニタ装置１２のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００３０】
システムコントローラ１０は、本実施形態の特徴として、字幕を登録する処理が開始されると、編集用のＯＳＤ表示画面をモニタ装置１３のディスプレイ装置１３１に表示させるＯＳＤ表示処理手段と、編集するタイトルを再生させているときにユーザによるシーン選択操作で再生を一時停止させる操作があったときに再生を一時停止させる一時停止処理手段と、シーン選択操作で再生を一時停止させたときの一時停止再生経過時間と記録媒体識別情報とシーン識別情報とを含むシーン情報（ビデオストリーム情報等）をフラッシュメモリ６に格納するシーン情報格納処理手段と、ユーザ操作に応じて作成された字幕の情報をフラッシュメモリ６に格納する字幕格納処理手段と、ユーザ操作に応じて設定された再生画面上の位置に前記作成された字幕を設定させるための字幕位置情報をフラッシュメモリ６に格納する字幕位置情報格納手段と、ユーザ操作に応じて設定された字幕表示時間情報をフラッシュメモリ６に格納する字幕表示時間情報格納処理手段とを有する字幕登録処理部１０１を備えている。
【００３１】
また、システムコントローラ１０は、前記編集されたタイトルが再生されると、再生経過時間が、再生経過時間が前記シーン情報に含まれる記録媒体識別情報とシーン識別情報とに関連する一時停止再生経過時間になったか否かを判定することにより、字幕表示開始時間になったか否かを判定する字幕表示開始時間判定手段と、再生経過時間が字幕表示開始時間になったと判定されたときに、フラッシュメモリ６から字幕情報と字幕位置情報を読み出して、前記字幕情報が示す字幕を、再生画面上の前記字幕位置情報が示す位置に表示を開始させる字幕表示開始手段と、フラッシュメモリ６から字幕表示時間情報を読み出し、再生経過時間が字幕表示時間情報の示す字幕表示時間を経過して字幕表示終了時間になったか否かを判定する字幕表示終了時間判定手段と、再生経過時間が字幕表示終了時間になったと判定されたときに字幕の表示を終了させる字幕表示終了手段とを有する字幕表示処理部１０２を備えている。
【００３２】
図２は本実施形態においてモニタ装置のディスプレイ装置の画面に表示される編集用ＯＳＤ表示画面の一例を示す。図２において、編集用ＯＳＤ表示画面２１には、再生画像を表示させる再生画像領域２２と、再生画像領域２２の再生画像の中に表示させる文字の種類を選択するための文字種類が表示された文字種類表示領域２３と、この文字種類表示領域２３に表示された文字種類を選択したときに文字種類に応じた文字を表示させる文字表示領域２４とが設けられている。
【００３３】
図３は本実施形態において再生画像の或るシーンの中に字幕の文字が表示されている編集用ＯＳＤ表示画面の一例を示す。図３において、再生画像領域２２には、例えば「ＡＢＣ」と言う字幕の文字が表示されている。この「ＡＢＣ」と言う字幕の文字を表示させる場合、リモコンを操作し、文字種類表示領域２３に表示された文字種類のうち、英大（英文字の大文字）を図示しないカーソルで選択し、リモコンで「ＡＢＣ」の文字入力操作を行うと、文字表示領域２４に「ＡＢＣ」と言う文字が表示され、次に「ＡＢＣ」をカーソルで選択して決定すると、再生画像領域２２に「ＡＢＣ」が表示され、更に、「ＡＢＣ」の表示位置をカーソルで選択して決定すると、字幕の文字「ＡＢＣ」が再生画像領域２２の所望の位置に設定されることになる。
【００３４】
図４は本実施形態において再生経過時間に対応する字幕表示開始時間と字幕表示時間と字幕表示終了時間との関係を説明するための時間関係図である。図４において、字幕表示開始時間は、字幕登録時においてユーザ操作により再生を一時停止した時点の再生経過時間である。字幕表示時間は、字幕登録時にユーザ操作により設定される時間であり、字幕が表示されている間の時間を示す。したがって、字幕表示開始時間から字幕表示時間を加えた時間が字幕表示終了時間を示すことになる。
【００３５】
図５は本実施形態において字幕を登録する際の処理を説明するためのフローチャートである。このフローチャートおよび図１〜図４を参照して字幕を登録する際の処理を説明するためのフローチャートである。
【００３６】
例えば、音楽のプロモーションビデオや映画などを記録したＤＶＤ（このＤＶＤをＤＶＤ１３とする）を複合型記録再生装置１内の光ディスク装置２に装填し、任意のシーンでカラオケや映画の字幕のようにユーザ自身が登録した字幕をＯＳＤ表示するために以下のような処理が行われる。
【００３７】
ＤＶＤ１３が光ディスク装置２に装填された後、リモコン１１を操作して字幕を登録する編集処理に設定され、字幕を登録する処理が開始されると、システムコントローラ１０の字幕登録処理部１０１のＯＳＤ表示処理手段は、ＯＳＤ回路１２のＯＳＤ処理により、編集用のＯＳＤ表示画面（例えば図２のＯＳＤ表示画面２１）をテレビ受信機などのモニタ装置１３のディスプレイ装置１３１に表示する（ステップＳ１）。そして、リモコン１１を操作して編集するタイトルが選択されて再生される（ステップＳ２）。この再生画像は、例えば、図２の再生画像領域２２に表示される。
【００３８】
このように編集するタイトルを再生させているときに、所望のシーンで字幕を挿入するため、ユーザのリモコン操作により所望のシーンが選択され（ステップＳ３）、そのシーンで再生を一時停止させるために、リモコン１１の一時停止キーが操作されると、字幕登録処理部１０１の一時停止処理手段は、再生を一時停止させる（ステップＳ４）。そして、字幕登録処理部１０１のシーン情報格納処理手段は、シーン選択操作で再生を一時停止させたときの一時停止再生経過時間と記録媒体識別情報とシーン識別情報とを含むシーン情報をフラッシュメモリ６に格納する（ステップＳ５）。
【００３９】
記録媒体識別情報は、編集している記録媒体（この場合はＤＶＤ１３）を識別するための情報であり、シーン識別情報は、ユーザのリモコン操作により選択されたシーンを識別するための情報であるので、記録媒体識別情報およびシーン識別情報をもフラッシュメモリ６に格納しておくことによって、編集している記録媒体の再生が一時停止したときの一時停止再生経過時間が、どの記録媒体のどのシーンにおいて一時停止したかを知ることができる。
【００４０】
次に、図３においても説明したようにユーザのリモコン操作により字幕が作成されると（ステップＳ６）、字幕登録処理部１０１の字幕格納処理手段は、その作成された字幕の情報をフラッシュメモリ６に格納する（ステップＳ７）。この後、図３においても説明したようにユーザのリモコン操作により字幕を表示する位置が設定されると（ステップＳ８）、字幕登録処理部１０１の字幕位置情報格納手段は、再生画面上の位置に前記作成された字幕を設定させるための字幕位置情報をフラッシュメモリ６に格納する（ステップＳ９）。
【００４１】
次に、ユーザのリモコン操作により字幕表示時間が設定されると（ステップＳ１０）、字幕登録処理部１０１の字幕表示時間情報格納処理手段は、その字幕表示時間の情報をフラッシュメモリ６に格納する（ステップＳ１１）。そして、リモコン１１の一時停止キーの再度の押下または再生キーの押下が行われ、再生が再開されると（ステップＳ１２）、ステップＳ２の処理に戻り、以下同様な処理が行われ、ステップ１１の処理の後、リモコン１１の停止キーが押下されたとき、または再生が終了したとき、再生は再開されず（ステップＳ１２）、本登録処理は終了する。
【００４２】
図６は本実施形態において編集されたタイトルを再生した際に字幕が表示される処理を説明するためのフローチャートである。このフローチャートおよび図１〜図４を参照して編集されたタイトルを再生した際に字幕が表示される処理について説明する。
【００４３】
編集されたタイトルが記録されたＤＶＤ１３を装填し、リモコン１１の再生キーを押下すると、ＤＶＤ１３に対する再生動作が開始し、編集されたタイトルが再生されると（ステップＮ１）、字幕表示処理部１０２の字幕表示開始時間判定手段は、再生経過時間が、当該シーン情報に含まれる記録媒体識別情報とシーン識別情報とに関連する一時停止再生経過時間（再生経過時間が当該ＤＶＤ１３のユーザのリモコン操作により選択されたシーンでの一時停止再生経過時間）になったか否かを判定することにより、字幕表示開始時間になったか否かを判定する（ステップＮ２）。そして、再生経過時間が字幕表示開始時間になったと判定されたときに、字幕表示処理部１０２の字幕表示開始手段は、フラッシュメモリ６から字幕情報と字幕位置情報を読み出して、ＯＳＤ回路１２のＯＳＤ処理により、その字幕情報が示す字幕を、再生画面上、例えば、図３で説明したＯＳＤ表示画面２１の再生画像領域２２の前記字幕位置情報が示す位置に表示を開始させる（ステップＮ３）。なお、このときは、字幕登録の編集時ではなく再生時であるので、再生画像領域２２は、モニタ装置１３のディスプレイ装置１３１の表示画面全体になる。
【００４４】
前記字幕が、再生画像領域２２の前記字幕位置情報が示す位置に表示されたとき、字幕表示処理部１０２の字幕表示終了時間判定手段は、フラッシュメモリ６から字幕表示時間情報を読み出し、図４においても説明したように、再生経過時間が字幕表示時間情報の示す字幕表示時間を経過して字幕表示終了時間になったか否かを判定する（ステップＮ４）。再生経過時間が字幕表示終了時間になったと判定されたとき、字幕表示処理部１０２の字幕表示終了手段は、字幕の表示を終了させる（ステップＮ５）。この時点で、前記編集されたタイトルの再生が終了していない場合は（ステップＮ６）、ステップＮ２に戻り、以下同様な処理を行い、そのタイトルの再生が終了すれば（ステップＮ６）、本字幕表示処理が終了する。
【００４５】
以上説明したように本実施形態によれば、字幕を登録する編集処理においては、ユーザが所望する任意のシーンで、所望する位置に所望する表示時間だけ所望する字幕を表示するための、シーン情報と字幕情報と字幕位置情報と字幕表示時間情報とを設定でき、字幕を表示する表示処理においては、ユーザが所望する任意のシーンで、所望する位置に所望する表示時間だけ所望する字幕を表示することができる。
【００４６】
したがって、光ディスクやハードディスクに記録された音楽のプロモーションビデオや映画などに対して字幕の登録編集処理を行うことによって、その光ディスクやハードディスクの情報を再生したときに、ユーザが所望する任意のシーンで、カラオケや映画の字幕のように、ユーザが所望する字幕を表示することができるようになる。
【図面の簡単な説明】
【００４７】
【図１】本発明の一実施形態に係る情報記録再生装置としての複合型記録再生装置の構成を示すブロック図である。
【図２】前記実施形態においてモニタ装置のディスプレイ装置の画面に表示される編集用ＯＳＤ表示画面の一例を示す。
【図３】前記実施形態において再生画像の或るシーンの中に字幕の文字が表示されている編集用ＯＳＤ表示画面の一例を示す。
【図４】前記実施形態において再生経過時間に対応する字幕表示開始時間と字幕表示時間と字幕表示終了時間との関係を説明するための時間関係図である。
【図５】前記実施形態において字幕を登録する際の処理を説明するためのフローチャートである。
【図６】前記実施形態において編集されたタイトルを再生した際に字幕が表示される処理を説明するためのフローチャートである。
【符号の説明】
【００４８】
２    光ディスク装置（情報記録再生装置）
３    ハードディスク装置（情報記録再生装置）
６    フラッシュメモリ（メモリ）
１２    ＯＳＤ回路
１３    ＤＶＤ（記録媒体）
１４    ＨＤ（記録媒体）
２１    ＯＳＤ表示画面
１０１    字幕登録処理部（ＯＳＤ表示処理手段、シーン情報格納手段、字幕格納処理手段、字幕位置情報格納手段、字幕表示時間情報格納手段）
１０２    字幕表示処理部（字幕表示開始時間判定手段、字幕表示開始手段、字幕表示終了時間判定手段、字幕表示終了手段）
１３１    ディスプレイ装置（表示手段）
【図１】
2007188609.tif 000003
【図２】
2007188609.tif 000004
【図３】
2007188609.tif 000005
【図４】
2007188609.tif 000006
【図５】
2007188609.tif 000007
【図６】
2007188609.tif 000008